(57)【要約】【課題】吹出口１０から水滴がサウナ対象室２内へ滴下されず入浴者に当たらなく不快感を防止することができることを目的とする。【解決手段】エリミネーター８を線材で不均一に編み込み、温風が通過する不均一の貫通穴の外径の長さを、温風が通過する方向の厚みの長さの１／１０以下にしたという構成にしたことにより、ノズル６より噴霧した温水の大粒水滴がエリミネータ８に付着し、小粒水滴を含んだ温風を通過させ吹出口１０からサウナ対象室２内へ吹き出されるので、吹出１０から水滴がサウナ対象室２内へ滴下されず入浴者に当たらなく不快感を防止することができるサウナ装置を得られる。【選択図】図１
2013146388.tif 000002
【特許請求の範囲】
【請求項１】
サウナ対象室の空気を循環する循環送風手段と、空気を加熱する空気加熱手段と、水または温水をノズルにより噴射し空気を加湿する加湿手段と、前記加湿手段で発生した水滴のうち比較的大粒の水滴を回収するエリミネーターと、回収された大粒の水滴を貯水する貯水部と前記循環送風手段により、前記空気加熱手段を通過したのち、前記加湿手段、気液分離手段を経て吹出口よりサウナ対象室に吹き出す略逆Ｌ字形状の通風路とを備え、前記エリミネーターを前記加湿手段の方向に傾けて設置したものであって、前記エリミネーターを線材で不均一に編み込み、温風が通過する不均一の貫通穴の外径の長さを、温風が通過する方向の厚みの長さの１／１０以下にしたことを特徴とするサウナ装置。
【請求項２】
略逆Ｌ字形状の通風路の内面に吸水材を設けたことを特徴とする請求項１に記載のサウナ装置。
【請求項３】
吸水材を、略逆Ｌ字形状の角に設けたことを特徴とする請求項２に記載のサウナ装置。
【発明の詳細な説明】
【技術分野】
【０００１】
本発明は、サウナ対象室を高温、高湿なサウナ空間にするサウナ装置に関する。ものである。
【背景技術】
【０００２】
従来、この種のサウナ装置は、サウナ対象室を利用するミスト機能付サウナ装置が知られている（例えば、特許文献１参照）。
【０００３】
以下、そのサウナ装置について図１および図２を参照しながら説明する。
【０００４】
図１、図２に示すように、サウナ装置本体１ａはサウナ対象室１の空気を循環する循環送風手段３と、給湯器３ａから送られてきた温水により熱交換をして空気を加熱する空気加熱手段５と、水または温水をノズル６により噴射し空気を加湿する加湿手段７と、前記加湿手段７で発生した水滴のうち比較的大粒の水滴を回収する気液分離手段５と、回収された大粒ち、前記加湿手段７、気液分離手段５を経て吹出口１０よりサウナ対象室１に吹き出す略の水滴を貯水する貯水部９と前記循環送風手段３により、前記空気加熱手段５を通過したのち逆Ｌ字形状の通風路１１とを備え、前記気液分離手段５を前記加湿手段７の方向に傾けて設置する。
【先行技術文献】
【特許文献】
【０００５】
【特許文献１】特開２００９−０７８０６１号公報
【発明の概要】
【発明が解決しようとする課題】
【０００６】
このような従来のサウナ装置においては、ノズルより噴霧した温水が衝突板へ衝突させ破砕して温風と接触させてエリミネーターを通過させ吹出口からサウナ対象室内へ吹き出されるが、場合によっては吹出口から水滴がサウナ対象室内へ滴下され入浴者に当たり不快感を生じていた、という課題を有していた。
【０００７】
そこで本発明は、上記従来の課題を解決するものであり、吹出口から水滴がサウナ対象室内へ滴下されず入浴者に当たらなく不快感を防止することができるサウナ装置を提供することを目的とする。
【課題を解決するための手段】
【０００８】
そして、この目的を達成するために、本発明は、サウナ対象室の空気を循環する循環送風手段と、空気を加熱する空気加熱手段と、水または温水をノズルにより噴射し空気を加湿する加湿手段と、前記加湿手段で発生した水滴のうち比較的大粒の水滴を回収するエリミネーターと、回収された大粒の水滴を貯水する貯水部と前記循環送風手段により、前記空気加熱手段を通過したのち、前記加湿手段、気液分離手段を経て吹出口よりサウナ対象室に吹き出す略逆Ｌ字形状の通風路とを備え、前記エリミネーターを前記加湿手段の方向に傾けて設置したものであって、前記エリミネーターを線材で不均一に編み込み、温風が通過する不均一の貫通穴の外径の長さを、温風が通過する方向の厚みの長さの１／１０以下にしたこととしたものであり、これにより所期の目的を達成するものである。
【発明の効果】
【０００９】
本発明によれば、エリミネーターを線材で不均一に編み込み、温風が通過する不均一の貫通穴の外径の長さを、温風が通過する方向の厚みの長さの１／１０以下にしたという構成にしたことにより、ノズルより噴霧した温水の大粒水滴がエリミネーターに付着し、小粒水滴を含んだ温風を通過させ吹出口からサウナ対象室内へ吹き出されることとなるので、吹出口から水滴がサウナ対象室内へ滴下されず入浴者に当たらなく不快感を防止することができる、という効果を得ることができる。
【図面の簡単な説明】
【００１０】
【図１】本発明の実施の形態１のサウナ装置の内部構成を示す側面構成図
【図２】同サウナ装置をサウナ対象室に設置した状態を示す斜視図
【図３】同サウナ装置のエリミネーターの外観を示す斜視図
【図４】同サウナ装置のエリミネーターの水滴滴下数を示す図
【図５】同サウナ装置を示す外観側面図
【図６】同サウナ装置の吸水材の別設置構成を示す外観側面図
【発明を実施するための形態】
【００１１】
本発明の請求項１記載のサウナ装置は、サウナ対象室の空気を循環する循環送風手段と、給水器から送られてきた温水により熱交換をして空気を加熱する空気加熱手段と、水または温水をノズルにより噴射し空気を加湿する加湿手段と、前記加湿手段で発生した水滴のうち比較的大粒の水滴を回収するエリミネーターと、回収された大粒の水滴を貯水する貯水部と前記循環送風手段により、前記空気加熱手段を通過したのち、前記加湿手段、気液分離手段を経て吹出口よりサウナ対象室に吹き出す略逆Ｌ字形状の通風路とを備え、前記エリミネーターを前記加湿手段の方向に傾けて設置したものであって、前記エリミネーターを線材で不均一に編み込み、温風が通過する不均一の貫通穴の外径の長さを、温風が通過する方向の厚みの長さの１／１０以下にした、という構成を有する。これにより、ノズルより噴霧した温水の大粒水滴がエリミネーターに付着し、小粒水滴を含んだ温風を通過させ吹出口からサウナ対象室へ吹き出されることとなるので、吹出口から水滴がサウナ対象室内へ滴下されず入浴者に当たらなく不快感を防止することができる、という効果を奏する。
【００１２】
また、略逆Ｌ字形状の通風路の内面に吸水材を設けた、もしくは通風路自体を吸水する、という構成にしてもよい。これにより、ノズルより噴霧した温水の大粒水滴がエリミネーターに付着し、小粒水滴を含んだ温風が吸水材に接触して小粒水滴の一部を吸水し通過させ吹出口からサウナ対象室へ吹き出されることとなるので、加湿量を増加さるとともに、吹出口から水滴がサウナ対象室内へ滴下されず入浴者に当たらなく不快感を防止することができる、という効果を奏する。
【００１３】
また、吸水材を、略逆Ｌ字形状の角に設けた、という構成にしてもよい。これにより、ノズルより噴霧した温水の大粒水滴がエリミネーターに付着し、小粒水滴を含んだ温風が温風が一番接触する角の吸水材に接触して小粒水滴の一部を吸水し通過させ吹出口からサウナ対象室内へ吹き出されることとなるので、吸水材の材料費を低減させるとともに、吹出口から水滴がサウナ対象室内へ滴下されず入浴者に当たらなく不快感を防止することができる、という効果を奏する。
【００１４】
以下、本発明の実施の形態について図面を参照しながら説明する。
【００１５】
（実施の形態１）
図１および図２に示すように、サウナ装置１は、サウナ対象室２の空気を循環するシロッコファンで構成された循環送風手段３と、一般家庭で用いられているボイラーである給水器４から送られてきた温水により熱交換をしてサウナ対象室２の空気を加熱する空気加熱手段５と、水または温水をフルコーンで噴射されるノズル６により噴射しサウナ対象室２の空気を加湿する加湿手段７と、前記加湿手段７で発生した水滴のうち比較的大粒の水滴（一例として直径約０．５ｍｍ）を回収するエリミネーター８と、回収された大粒の水滴を貯水する貯水部９と前記循環送風手段３により、前記空気加熱手段５を通過したのち、前記加湿手段７、エリミネーター８を経て吹出口１０よりサウナ対象室２に吹き出す略逆Ｌ字形状の通風路１１とを備え、前記エリミネーター８を前記加湿手段７の方向に傾けて設置したものであって、具体的には図３に示すように前記エリミネーター８を線材１５で不均一に編み込み、温風が通過する不均一の貫通穴１２の外径の長さを、温風が通過する方向の厚みの長さの１／１０以下にした、という構成を有する。根拠は、図４に示すように、１／１０すなわち０．１０の場合、５分当たり１粒以下になるためである。
【００１６】
よって、図１に示すようにノズル６より噴霧した温水の大粒水滴がエリミネーター８に付着し、小粒水滴（一例として直径約０．５ｍｍ以下）を含んだ温風を通過させ吹出口１０からサウナ対象室２へ吹き出されることとなるので、吹出口１０から水滴がサウナ対象室２内へ滴下されず入浴者に当たらなく不快感を防止することができる、という効果を奏する。
【００１７】
また、略逆Ｌ字形状の通風路１１の内面に、図５に示すように、吹出口１０からエリミネーター８までの間に吸水材１３を設けた構成とする。
【００１８】
なお、一例として発泡ポリウレタンを使用し、吸水性を向上させるとともに保湿性を向上させることができるので好ましい。
【００１９】
なお、通風路１１自体を吸水する構成の場合は、吸水材１３を新たに設置する必要がなく、その分、コストを低減することができる。
【００２０】
これにより、ノズル６より噴霧した温水の大粒水滴がエリミネーター８に付着し、小粒水滴を含んだ温風が吸水材１３に接触して小粒水滴の一部を吸水し通過させ吹出口１０からサウナ対象室２内へ吹き出されることとなるので、加湿量を増加さるとともに、吹出口１０から水滴がサウナ対象室２内へ滴下されず入浴者に当たらなく不快感を防止することができる、という効果を奏する。
【００２１】
また、吸水材１３を、図６に示すごとく略逆Ｌ字形状の角１４に設けた、という構成にしてもよい。
【００２２】
これにより、ノズル６より噴霧した温水の大粒水滴がエリミネーター８に付着し、小粒水滴を含んだ温風が、風が一番接触する角１４の吸水材１３に接触して小粒水滴の一部を吸水し通過させ吹出口１０からサウナ対象室２内へ吹き出されることとなるので、吸水材１３の材料費を低減させるとともに、吹出口１０から水滴がサウナ対象室２内へ滴下されず入浴者に当たらなく不快感を防止することができる、という効果を奏する。
【符号の説明】
【００２３】
１    サウナ装置
２    サウナ対象室
３    循環送風手段
４    給水器
５    空気加熱手段
６    ノズル
７    加湿手段
８    エリミネーター
９    貯水部
１０  吹出口
１１  通風路
１２  貫通穴
１３  吸水材
１４  角
１５  線材
【図１】
2013146388.tif 000003
【図２】
2013146388.tif 000004
【図３】
2013146388.tif 000005
【図４】
2013146388.tif 000006
【図５】
2013146388.tif 000007
【図６】
2013146388.tif 000008